(57)【要約】体液貯蔵部材（１８）、体液分配層（１７）及び体液受容層（１６）を含む吸収芯（４）を含む吸収物品。分配層（１７）は物品の腰部分（５又は６）の一つの少なくとも実質的な部分において及び股部分（７）において延びるように配置され、かつ股部分（７）から前記一つの腰部分（５又は６）の方へ体液の流れを促進するように物品の対向する腰部分の少なくとも実質的な部分に存在しない。体液バリヤー（１９）は物品の股部分（７）において又はそれに隣接して位置される体液分配層（１７）の一つの横方向端縁において又はそれに密接して配置され、前記体液バリヤー（１９）は前記層の厚さの少なくとも実質的な部分を通って延びる。
2006500149.tif 000002
【特許請求の範囲】
【請求項１】
おむつ、パンツおむつ、失禁ガード、衛生ナプキン又はそれらの類似物品の如き吸収物品であって、前記物品が縦及び横方向、前（５）及び後（６）部分の形の二つの腰部分、及び前記二つの腰部分の間に配置される股部分（７）を有し、前記物品が少なくとも一つの体液貯蔵層（１８）、体液貯蔵層（１８）と重なりかつ体液接触する少なくとも一つの体液分配層（１７）、体液分配層（１７）及び体液貯蔵層（１８）と直接的又は間接的に体液接触する物品の少なくとも股領域に配置される体液受容層（１６）を含む吸収芯（４）を含み、前記体液貯蔵層（１８）、前記体液分配層（１７）及び前記体液受容層（１６）が各々、縦及び横方向端縁を有し、少なくとも一つの体液バリヤー（１９）が物品の横方向に延びるように配置されるものにおいて、前記体液分配層（１７）が物品の腰部分（５又は６）の一つの少なくとも実質的な部分において及び股部分（７）において延びるように配置され、かつ体液の流れを股部分（７）から前記一つの腰部分（５又は６）の方へ促進するように物品の対向する腰部分の少なくとも実質的な部分において存在しないこと、及び体液バリヤー（１９）が物品の股部分（７）において又はそれに隣接して位置される体液分配層（１７）の一つの横方向端縁において又はそれに密接して配置され、前記体液バリヤー（１９）が前記層の厚さの少なくとも実質的な部分を通して延びることを特徴とする吸収物品。
【請求項２】
少なくとも一つの体液貯蔵層（１８）が物品の前（５）及び後（６）部分の少なくとも実質的な部分において配置されること、前記体液分配層（１７）が物品の後部分（６）の少なくとも実質的な部分及び股部分（７）において配置され、かつ物品の前部分（５）の少なくとも実質的な部分において存在しないこと、及び体液バリヤー（１９）が物品の前部分（５）に面する体液分配層（１７）の横方向端縁において又はそれに密接して配置されることを特徴とする請求項１に記載の吸収物品。
【請求項３】
物品が腹ばいになる赤ちゃんによって使用されることを意図されるおむつ又はパンツおむつであることを特徴とする請求項１又は２に記載の吸収物品。
【請求項４】
少なくとも一つの体液貯蔵層（１８）が物品の前（５）及び後（６）部分の少なくとも実質的な部分において配置されること、前記体液分配層（１７）が物品の股（７）及び前（５）部分の少なくとも実質的な部分において配置され、かつ物品の後部分（６）の少なくとも実質的な部分において存在しないこと、及び体液バリヤー（１９）が物品の後部分（６）に面する体液分配層（１７）の横方向端縁において又はそれに密接して配置されることを特徴とする請求項１に記載の吸収物品。
【請求項５】
体液分配層（１７）が体液受容層（１６）と体液貯蔵層（１８）の間に位置されること、及び体液バリヤー（１９）が体液受容層（１６）と体液分配層（１７）の間にある距離を延びるように配置されることを特徴とする請求項１〜４のいずれかに記載の吸収物品。
【請求項６】
体液バリヤー部材（１９）がまた、体液分配層（１７）の厚さの少なくとも実質的な部分を通して前記層の一つの横方向端縁において又はそれに密接して延びるように配置されることを特徴とする請求項１〜５のいずれかに記載の吸収物品。
【請求項７】
体液分配層（１７）が体液受容層（１６）と体液貯蔵層（１８）の間に位置されること、及び体液バリヤー（１９）が体液分配層（１７）と体液貯蔵層（１８）の間にある距離を延びるように配置されることを特徴とする請求項６に記載の吸収物品。
【請求項８】
体液分配層（１７）が体液受容層（１６）と体液貯蔵層（１８）の間に位置されること、及び体液バリヤー（１９）が体液貯蔵層（１８）を通っても延びるように配置されることを特徴とする請求項６に記載の吸収物品。
【請求項９】
体液受容層（１６）が体液貯蔵層（１８ａ，１８ｂ）の前及び後部分の間の凹所に配置されること、体液分配層（１７）が体液貯蔵層の後又は前部分及び体液受容層（１６）の下に配置されること、及び体液バリヤー（１９）が体液貯蔵層の後又は前部分と体液受容層の間に配置され、物品の前（５）又は後（６）部分に面する体液分配層（１７）の縁を実質的にカバーすることを特徴とする請求項１〜６のいずれかに記載の吸収物品。
【請求項１０】
体液分配層（１７）における材料が体液受容層（１６）から体液貯蔵層（１７）への液体移動を促進するように体液受容層（１６）における材料より高い液体親和性を有することを特徴とする請求項１〜９のいずれかに記載の吸収物品。
【請求項１１】
体液貯蔵層（１８）における材料が体液受容層（１６）及び体液分配層（１７）から体液貯蔵層（１８）への液体移動を促進するように体液受容層（１６）及び体液分配層（１７）における材料より高い液体親和性を有することを特徴とする請求項１０に記載の吸収物品。
【請求項１２】
体液バリヤー（１９）が疎水性不織材料、プラスチックフィルム材料、その積層体、キャリア材料上の疎水性及び／又は液密材料の被覆から作られ及び／又は液体透過を妨げるか又は少なくとも遅延させるように熱、機械、化学又は他の処理によって変性された体液分配層（１７）及び／又は体液受容層（１６）のそれぞれの縁部分によって構成されることを特徴とする請求項１〜１１のいずれかに記載の吸収物品。
【発明の詳細な説明】
【技術分野】
【０００１】
本発明はおむつ、パンツおむつ、失禁ガード、衛生ナプキン又はそれらの類似物品の如き吸収物品に関する。吸収物品は少なくとも一つの体液貯蔵層及び体液貯蔵層と重なりかつ体液接触する少なくとも一つの体液分配層を含む吸収芯を含む。
【背景技術】
【０００２】
この種の吸収物品は通常、それらの縦方向及び横方向の範囲と比較してかなり薄く作られている。放出された体液を貯蔵するために十分な能力を与えるために、物品に含まれる吸収材料は大きな領域にわたって分布され、その領域がおむつについては使用者の胃から股領域を介して使用者の背中上の腰領域に延びる。
【０００３】
使用者が立ったり又は座ったりするとき、放出された尿は物品の股部分に位置される、いわゆる“湿潤領域”に至る。湿潤領域の近くの局部的な漏出を避けるためには物品は液体が利用可能な吸収材料上で素早く分布されるように設計されることが重要である。物品の側縁までの距離は物品の縦方向範囲と比べると小さいので、液体分配層が与えられることが多く、液体分配層は物品の縦方向に液体を分配する。同時に物品の横方向の外へ液体を分布することを防止するための手段が採られることも多い。
【０００４】
横方向の漏出を防止しようとする試みにおいて、おむつは今日、いわゆる脚弾性体を与えられ、それは体に対して封止接触して物品の側縁を保持する。この種の脚弾性体は例えばＵＳ−Ａ  ３８６０００３に記載されている。横方向の漏出に対する安全性をさらに改良するために、股領域のいずれかの側上に直立した漏出バリヤーを使用することが知られている。この種の漏出バリヤーは例えばＥＰ  ０２１９３２６  Ｂ１に記載されている。
【０００５】
実質的に物品の最下点である湿潤領域から物品の縦方向に液体を分布するためには、液体は重力の影響に対して上方向に移動されなければならない。この液体分配問題は数十年間おむつ製造業者を占有し、縦方向の液体分配を改良するために多数の様々なタイプの吸い上げ層が提案されている。
【０００６】
ＵＳ−Ａ  ３０１７３０４は毛羽パルプの吸収体の一つの側を湿潤し、続いて吸収体を圧縮することによって作られた吸い上げ層を開示し、そこでは圧縮は吸収体の湿潤側上の圧縮された吸い上げ層の形成に導く。現代のおむつでは吸い上げ層は通常、圧縮された化学毛羽パルプから作られる。
【０００７】
しかしながら、利用可能な吸収材料を最適に利用するために物品の縦方向に十分に効果的な液体分配を与える解決策は未だ提供されていない。おむつは通常、湿潤領域からある距離に位置される全ての吸収材料が利用されるずっと前に横方向に漏出する。物品における吸収材料の良好な利用は経済的な見地からも環境的な理由のためにも重要である。もしおむつなどに含まれる吸収材料がより良好に利用されることができるなら、物品に必要とされる吸収材料の量を減少させることができ、それは原材料に対するより小さな要求及び使用されたおむつなどから生じる廃棄物の減少に導く。
【０００８】
公知のおむつなどの一つの問題は液体が吸い上げ層の助けで重力に対して十分に効果的に分布しないことである。液体はおむつの最も低く位置される領域に蓄積し、その領域は湿潤領域によって構成される。
【０００９】
ＷＯ  ００／１９９５５は物品の平面における半径方向の吸い上げを防止する吸い上げバリヤーを有する吸収物品を開示し、それは体液で物品の中央を満たすことを促進し、物品の側部からの漏出の可能性を低下する。
【００１０】
ＷＯ  ００／７６４４７では、吸い上げ層及び液体貯蔵層の重なる部分の別個の位置に液体不透過性部分を与え、前記液体不透過性部分上での吸い上げ層から液体貯蔵層への液体の移動を防止することが提案されている。液体不透過性部分は液体受容領域のいずれかの側に配置され、かくして前記液体受容領域によって取得された液体が前記吸い上げ層において物品の後及び前部分の方へ分布し、液体受容領域からある距離で貯蔵層に移動される。
【００１１】
しかしながら、装着者、例えば赤ちゃんが腹ばいに横たわるときに起こる一つの問題は液体が重力に従っておむつの前部分に下っていくことである。これは製品の前部分が液体で飽和されるが後領域が通常、利用され続けないことを意味する。対応する問題は装着者が仰向けに横たわるときにも起こり、その場合おむつの後領域は飽和されるが前領域は利用されないままである。
【発明の開示】
【発明が解決しようとする課題】
【００１２】
本発明の一つの目的は改良された液体取扱い特性を有する吸収物品を提供することである。さらなる目的は装着者が腹ばいに又は仰向けに横たわるときに漏出に対する改良された安全性を有する吸収物品を提供することである。さらなる目的は物品中の吸収材料の改良された利用を実現する吸収物品を提供することである。
【課題を解決するための手段】
【００１３】
本発明によれば、おむつ、失禁ガード、衛生ナプキン又はそれらの類似物品の如き吸収物品は縦及び横方向、前及び後部分、及びそれらの間の股部分を有し、前記物品は少なくとも一つの体液貯蔵層、体液貯蔵層と重なりかつ体液接触する少なくとも一つの体液分配層、及び体液分配層及び体液貯蔵層と直接的又は間接的に体液接触する物品の少なくとも股領域に配置される少なくとも一つの体液受容層を含む吸収芯を含み、前記体液貯蔵層、前記体液分配層及び前記体液受容層が各々、縦及び横方向端縁を有する。少なくとも一つの体液バリヤーは物品の横方向に延びるように配置される。前記体液分配層は物品の腰部分の一つの少なくとも実質的な部分において及び股部分において延びるように配置され、かつ体液の流れを股部分から前記一つの腰部分の方へ促進するように物品の対向する腰部分の少なくとも実質的な部分において存在しない。体液バリヤーは物品の股部分において又はそれに隣接して位置される体液分配層の一つの横方向端縁において又はそれに密接して配置され、前記体液バリヤーは前記層の厚さの少なくとも実質的な部分を通って延びる。
【００１４】
腹ばいに横たわる装着者のために意図される本発明の一つの例では、少なくとも一つの体液貯蔵層は物品の前及び後部分の少なくとも実質的な部分において配置されること、前記体液分配層は物品の後部分の少なくとも実質的な部分及び股部分において配置され、かつ物品の前部分の少なくとも実質的な部分において存在せず、体液バリヤーは物品の前部分に面する体液受容層の横方向端縁において又はそれに密接して配置される。
【００１５】
本発明の重要な側面において物品は腹ばいになる赤ちゃんによって使用されることを意図されるおむつ又はパンツおむつである。
【００１６】
腹ばいになる装着者のために意図される別の例では、少なくとも一つの体液貯蔵層は物品の前及び後部分の少なくとも実質的な部分において配置され、前記体液分配層は物品の股及び前部分の少なくとも実質的な部分において配置され、かつ物品の後部分の少なくとも実質的な部分において存在せず、体液バリヤーは物品の後部分に面する体液受容層の横方向端縁において又はそれに密接して配置される。
【００１７】
一つの例では体液分配層は体液受容層と体液貯蔵層の間に位置され、体液バリヤーは体液受容層と体液分配層の間にある距離を延びるように配置される。
【００１８】
さらなる例では体液バリヤー部材はまた、体液分配層の厚さの少なくとも実質的な部分を通して前記層の一つの横方向端縁において又はそれに密接して延びるように配置される。
【００１９】
一つの例では体液分配層は体液受容層と体液貯蔵層の間に位置され、体液バリヤーは体液分配層と体液貯蔵層の間にある距離を延びるように配置される。
【００２０】
別の例では体液分配層は体液受容層と体液貯蔵層の間に位置され、体液バリヤーは体液貯蔵層を通って延びるように配置される。
【００２１】
さらに別の例によれば、体液受容層は体液貯蔵層の前及び後部分の間の凹所に配置され、体液分配層は体液貯蔵層の後又は前部分及び体液受容層の下に配置され、体液バリヤーは体液貯蔵層の後又は前部分と体液受容層の間に配置され、物品の前又は後部分に面する体液分配層の縁を実質的にカバーする。
【００２２】
体液分配層における材料は体液受容層から体液分配層への液体移動を促進するように体液受容層における材料より高い液体親和性を有するべきである。体液貯蔵層における材料は体液受容層及び体液分配層から体液貯蔵層への液体移動を促進するように体液受容層及び体液分配層における材料より高い液体親和性を有するべきである。
【００２３】
体液バリヤーは好ましくは疎水性不織材料、プラスチックフィルム材料、その積層体、及び／又はキャリア材料上の疎水性及び／又は液密材料の被覆から作られ、及び／又は液体透過を妨げるか又は少なくとも遅延させるように熱、機械、化学又は他の処理によって変性された体液分配層及び／又は体液受容層のそれぞれの縁部分によって構成される。
【００２４】
図面の簡単な記述
本発明は添付図面に示された幾つかの例を参照して以下により詳細に記載されるだろう。
図１はおむつの形の吸収物品の透視図である。
図２はおむつの横断面図である。
図３ａは本発明による吸収体の第一例の縦断面図である。
図３ｂは吸収体の変更された例の縦断面図である。
図４は吸収体を傾斜した状態で図３ａの吸収体の液体分配パターンを示す。
図５は腹ばいに横たわる装着者上に位置される図３の吸収体を示す。
図６は本発明による吸収体の第二例の縦断面図である。
図７は本発明による吸収体の第三例の縦断面図である。
図８は吸収体を傾斜した状態で図７の吸収体の液体分配パターンを示す。
【発明を実施するための最良の形態】
【００２５】
「吸収物品」という用語は尿、糞便及び月経液の如き体滲出物を吸収して含有するために装着者の皮膚に対して位置される製品に関する。本発明は主に使い捨て吸収物品に関し、これは使用後に洗濯されること又は復元されること又は吸収物品として再利用されることを意図されない物品を意味する。使い捨て吸収物品の例は衛生ナプキン、パンティライナー及び衛生パンティの如き女性用衛生製品；幼児及び失禁症の成人のためのおむつ及びパンツおむつ；失禁パッド；おむつ挿入物及びこれらの類似物を含む。
【００２６】
図面は幼児又は失禁症の成人のためのおむつ１の一例を示し、前記おむつは液体透過性上部シート２、液体不透過性下部シート３及びそれらの間に封入された吸収体４を含むシャシを典型的に含む。液体透過性上部シート２は、スパンボンド式、メルトブロー式、カード式、水流交絡式、ウェットレイ式などによる不織材料からなることができる。好適な不織材料は、木材パルプもしくは綿繊維のような天然繊維；ポリエステル、ポリエチレン、ポリプロピレン、ビスコースなどの人造繊維；又は天然繊維と人造繊維の混合物で構成されることができる。この上部シート材料はさらに、例えばＥＰ−Ａ−１０３５８１８号に開示されているように結合パターンで互いに結合できるトウ繊維で構成されていてもよい。上部シート材料のさらなる例は多孔質フォーム、有孔プラスチックフィルムなどである。上部シート材料として好適な材料は、柔軟でかつ皮膚を刺激せず、尿もしくは月経液などの体液を即座に透過するものであるべきである。
【００２７】
液体不透過性下部シート３は、ポリエチレンもしくはポリプロピレンのフィルムなどの薄いプラスチックフィルム、液体不透過性物質で被覆された不織材料、液体の透過を阻止する疎水性不織材料、又はプラスチックフィルムと不織材料の積層体からなることができる。下部シート材料は、吸収芯から水蒸気を逃がすため通気性であることができるが、液体が下部シート材料を通過することを防止する。
【００２８】
上部シート２と下部シート材料３は、その平面が吸収体４より幾分大きな範囲を有し、吸収体の縁の外側に広がる。層２と３は、例えば接着するか又は熱もしくは超音波によって溶接することによってそれらの突出している部分内で互いに接続される。さらに上部シート及び／又は下部シートは、接着剤、熱接着などの当該技術分野で公知の方法で吸収芯に取り付けられてもよい。吸収芯は、上部シート及び／又は下部シートに取り付けられなくてもよい。
【００２９】
吸収体４はいかなる従来の種類のものであることができる。一般に使用されている吸収材料の例はセルロース毛羽パルプ、ティッシュ層、高吸収性ポリマー（いわゆる超吸収材）、吸収性フォーム材料、吸収性不織材料等である。吸収体においてセルロース毛羽パルプを超吸収材と組合せることは一般的である。また、液体受容能力、液体分配能力及び液体貯蔵能力に関して異なる特性を有する異なる材料の層を含む吸収体を有することも一般的である。例えばベビー用おむつ及び失禁ガードで一般的な薄い吸収体はしばしばセルロース毛羽パルプと超吸収材の圧縮された混合された又は層状構造を含む。吸収芯のサイズ及び吸収能力はベビー用おむつ、成人用失禁おむつ及びパッド、パンツおむつ、パンティライナー、衛生ナプキン等の如き異なる用途のために好適化されるべく変化させることができる。
【００３０】
図１に開示されるおむつは装着者の胴体の下部を吸収パンツのように包囲することを意図される。それは使用中使用者の体の前部分に装着されることを意図される前部分５、使用中使用者の体の後部分に装着されることを意図される後部分６、及び前部分と後部分の間に位置されかつ脚の間の使用者の股部分に装着されることを意図される狭い股部分７を含む。前部分５は一対の接着テープタブ８又はフックアンドループタイプの固定具の如き他の種類の取付け手段を与えられる。
【００３１】
おむつは脚開口を形成する弾性化された側部フラップ１０を含む。弾性化は側部フラップ領域１０の上部シートと下部シートの間に固定された弾性部材１１によって与えられる。図１及び２に開示されたおむつは近位縁１３及び遠位縁１４を有する弾性バリアフラップ１２、及び遠位縁１４を上部シートから間隔を置かせる弾性部材１５をさらに含む。これらのバリアフラップ１２は漏出バリアを形成し、それらの近位縁１３で上部シート２に、側部フラップ１０の領域で又は吸収体４の上で吸収体４の横方向縁の近くに固定される。
【００３２】
おむつは物品の横方向にその腰部分に延びる弾性部材の形の弾性化された腰部分をさらに含むことができる。
【００３３】
さらなる例では、おむつはおむつの後部分に取付けられたベルト部分を含み、これらは装着者の腰の周りに一緒に固定されることを意図される。おむつの前部分の上の固定手段は次にベルトの外側に取付けられ、おむつを一緒に固定して所望のパンツ状形状にする。ベルト付きおむつの例はＷＯ  ０１／００１２９に示されている。
【００３４】
しかしながら、上述の及び図面にのみ示されたおむつは一つの非限定的な例を表すものにすぎず、本発明はこれらに限定されず、上述の通りいかなるタイプの吸収物品でも用いられることができることが理解される。
【００３５】
図３ａ及び４の例によれば、吸収体は体液受容層１６を含み、それは物品の使用中、おむつの股領域に位置されることを意図される。受容層として使用される材料は多量の液体を吸収体の他の部分によって吸収される前に迅速に受けとり、それを分配し、それを一時的に貯蔵する能力を有するべきである。例えば繊維詰物、カードされた繊維ウェブ又は他のタイプの繊維材料の形の多孔質の相対的に厚い受容層は高い瞬間液体受容能力を有し、液体が吸収体によって吸収される前に液体を一時的に貯蔵することができる。同じことは多孔質フォーム材料に対して適用する。別の例の有用な材料はトウフィラメントの層であり、前記層は例えばＥＰ−Ａ  １０３５８１８に記載されているように結合パターンで結合されてもよい。受容層として使用するために好適な材料のさらなる例はケミサーモメカニカルパルプ繊維（ＣＴＭＰ）及び架橋されカールされたセルロース繊維である。液体は次いで下にある吸収体へ連続的に排液され、その後受容層は再び繰り返し湿潤から液体を受ける能力を有する。
【００３６】
体液受容層１６の下にあるのは体液分配層１７であり、それは物品の股領域７及び後領域６に位置される。分配層１７に使用される材料は層の平面に沿った毛管作用によって体液を素早く吸い上げる能力を有するべきである。分配層として使用するために好適な材料の一例は圧縮されたケミカル木材パルプ毛羽である。スパンレース材料、メルトブロー材料などの様々なタイプの不織材料を使用してもよい。
【００３７】
体液分配層１７の下にあるのはおむつの前、股及び後領域にわたって延びる体液貯蔵層１８である。貯蔵層１８に使用される材料は多量の体液を吸収及び貯蔵する能力を有するべきである。好適な材料はセルロース毛羽パルプといわゆる超吸収材料の圧縮された混合された又は層状構造であり、それは体液と接触すると膨潤して自重の多数倍の多量の体液を結合するポリマー材料である。超吸収材料の例はポルアクリレート、スターチ及びスターチ誘導体、カルボキシアルキルセルロース材料などである。超吸収材料とティッシュ紙の積層体も貯蔵層として使用されてもよい。
【００３８】
液体移動が一つの層から別の層へ促進されるような方法で吸収体に含まれる様々な層における材料を選択することによって物品における所望の液体分配パターンを得ることができる。別の材料と比較したある材料の液体親和性は当業者に良く知られた多数の要因、例えば毛管圧力、有効孔径、湿潤角度、拡散、ゲル中の液体を化学的に結合する材料の能力などに依存する。国際特許出願ＷＯ  ９８／２２０６７は吸収物品において予め決められた液体移動パターンを生成する目的のために様々な材料の毛管圧力がそれらの相互の液体移動特性をどのように測定するために使用されることができるかを詳細に記載する。
【００３９】
ＷＯ  ００／７６４４６では様々な吸収材料の間の液体移動関係、及び液体を互いから排液するそれらの能力を決定するための方法が開示されている。
【００４０】
物品中の最適な液体移動を得るためには、吸収体の様々な部分が互いに直接接触していることが不可欠であり、それは一つの吸収部分の表面の少なくとも一つが他の吸収部分の表面と毛管接触し、かくして液体が吸収体の他の成分の作用なしで部分間で移動されうることを意味する。さらに少なくとも部分が湿潤しているとき、接触表面において吸収部分間に遊び又は空間が全く存在してはいけない。かかる遊び又は空間は吸収体における移動溝を中断する。しかしながら、湿潤すると膨潤する吸収材料を選択することができる。かかる場合において、吸収材料は湿潤前に隣接部分間に幾らかの遊び又は狭い間隙を持つことができる。但し、前記遊び又は間隙は構造が湿潤されかつ膨潤するときに架橋されることができることが条件である。
【００４１】
図３及び４に示された例では受容層１６は分配層１７と直接接触しており、これらの二つの層における材料は分配層１７の液体親和性が受容層に対してより高いように選択されるべきである。それは液体移動が分配層１７から貯蔵層１８へ促進され、かくして貯蔵層１８が分配層１７から液体を排液することを意味する。貯蔵層１８は吸収された液体を化学的に結合できる超吸収材料を含有することが有利である。
【００４２】
貯蔵層１８は分配層１７と直接接触しており、分配層１７より高い液体親和性を有するべきである。それは液体移動が分配層１７から貯蔵層１８へ促進され、かくして貯蔵層１８が分配層１７から液体を排液することを意味する。貯蔵層１８は吸収された液体を化学的に結合しうる超吸収材料を含有することが有利である。
【００４３】
体液バリヤー部材１９は図３ａ及び４に示された例によれば受容層１６及び分配層１７の横方向前縁をカバーし、分配層１７と貯蔵層１８の間である距離を延びるように配置されている。図３ｂに示された例では体液バリヤー部材１９は受容層１６の横方向前縁をカバーし、受容層１６と分配層１７の間である距離を延びるように配置されている。
【００４４】
好適な体液バリヤー材料は疎水性不織材料、プラスチックフィルム、それらの積層体又は疎水性及び／又は液密材料の被覆である。蒸気透過性／液体不透過性材料が有利に使用されることができる。体液バリヤー部材１９は別の例では体液分配層１７及び／又は体液受容層１６の一つの縁部分（それはこの場合において熱可塑性繊維又はフィラメントを含む）をそれぞれ一緒に溶融及び圧縮、例えば溶接することによって与えられてもよい。従って体液バリヤー部材１９は別個の材料の形である必要はないが、液体透過を防止又は少なくとも遅延するように熱、機械、化学又は他の処理によって変性された層１６及び／又は１７の縁部分によって構成されてもよい。別の例では分配層と貯蔵層の間に延びる体液バリヤー部材１９の部分は除外される。二つ以上の体液バリヤー部材１９はさらに、互いから離れて配置されてもよい。
【００４５】
図４は腹ばいになっている装着者のための吸収体における液体分配パターンを示す。放出された液体は受容層１６によって吸収され、続いて分配層１７に排液されるだろう。液体を吸収芯及び体液バリヤー部材１９の後方に送出することのみができる分配層１７のため、液体は主に後方へ物品の後領域の方へ分布されるだろう。分配層１７は続いて下にある貯蔵層１８によって排液され、そこでは液体は物品の前部分に到達することもできる。
【００４６】
仰向けになっている人によって使用されることを意図されるおむつでは、吸収芯は単純に逆になり、従って体液分配層１７は物品の前領域５及び股領域７に位置され、体液バリヤー部材１９は受容層１６及び分配層１７の横方向後縁をカバーするように配置される。
【００４７】
図５に示された例では体液バリヤー部材１９はまた、貯蔵層１８を通って延びる。これは吸収芯の前部分への液体の移動をより遅延させるだろう。この例では体液バリヤー部材１９は完全に液密でないことが好ましく、少なくとも貯蔵層１８を通って延びる部分はそうでないことが好ましい。
【００４８】
図６では受容層１６は貯蔵層の前部分１８ａと後部分１８ｂの間の凹所に配置されている。受容層１６は吸収芯の縦方向縁へ外に延び、そこで前及び後貯蔵層部分１８ａ及び１８ｂは互いに分離されるか、又は受容層１６は貯蔵層によって包囲されるように貯蔵層の穴に配置されてもよい。
【００４９】
図６の分配層１７は受容層１６と貯蔵層１８ｂの後部分の下に位置されている。体液バリヤー部材１９は受容層１６と貯蔵層１８ａの前部分の間に配置され、また分配層１７の横方向前縁をカバーするために下に延びている。
【００５０】
試験例
図６に示された例による吸収芯の一対が作られた。体液受容層１６はカールされた架橋セルロース繊維（８０重量％）及び熱可塑性合成繊維（２０重量％）の混合物を含むウェットレイされた熱結合材料であった。それは２００ｇ／ｍ２の基本重量及び１０ｃｍ３／ｇの嵩を有していた。体液分配層１７は２００ｇ／ｍ２の基本重量及び４ｃｍ３／ｇの嵩を有するケミカル毛羽パルプの乾燥形成層であった。体液貯蔵層１８はケミカル毛羽パルプ（５０重量％）及び超吸収材料（５０重量％）の乾燥形成混合物であった。それは８００ｇ／ｍ２の基本重量及び３．５ｃｍ３／ｇの嵩を有していた。
【００５１】
一つの吸収芯（試料芯）は図６に示されたような体液バリヤー部材１９を与えられた。体液バリヤー部材１９はプラスチックフィルムストリップの形であった。他の吸収芯（参照芯）はいかなる体液バリヤー部材１９も持たなかった。
【００５２】
二つの吸収芯は図７に示されたように傾斜した状態で試験装置に置かれた。三つの用量の合成尿（各々６０ｍｌ）を１時間の間隔で体液受容部材１６上の芯に加えた。体液分配層１７及び前及び後体液貯蔵層１８ａ及び１８ｂを次いで秤量した。結果は以下の表に見られる。
【００５３】
【表１】
2006500149.tif 000003
【００５４】
これらの結果から見られるように体液バリヤー部材１９の存在は後体液貯蔵層１８ｂ中に分配された参照芯によって吸収された液体の大部分を持つことに有効であった。体液受容層１６から後体液貯蔵層１８ｂへの液体の分配の大部分は体液分配層１７によって起こる。体液受容層１６上に配置された液体の部分は特に前体液貯蔵層１８ａに直接移動され、参照芯では液体の主要な量はこのように移動し、一方試料芯では体液バリヤー部材１９はこの量を減らすのに有効であり、代わりに液体の大部分を体液分配層１７を介して後体液貯蔵層１８ｂへ分配させた。利用可能な吸収材料のより良好な利用がこれによって達成され、それは漏出の危険を減らす。
【図面の簡単な説明】
【００５５】
【図１】おむつの形の吸収物品の透視図である。
【図２】おむつの横断面図である。
【図３】図３ａは本発明による吸収体の第一例の縦断面図であり、図３ｂは吸収体の変更された例の縦断面図である。
【図４】吸収体を傾斜した状態で図３ａの吸収体の液体分配パターンを示す。
【図５】腹ばいに横たわる装着者上に位置される図３の吸収体を示す。
【図６】本発明による吸収体の第二例の縦断面図である。
【図７】本発明による吸収体の第三例の縦断面図である。
【図８】吸収体を傾斜した状態で図７の吸収体の液体分配パターンを示す。
【図１】
2006500149.tif 000004
【図２】
2006500149.tif 000005
【図３】
2006500149.tif 000006
【図４】
2006500149.tif 000007
【図５】
2006500149.tif 000008
【図６】
2006500149.tif 000009
【図７】
2006500149.tif 000010
【図８】
2006500149.tif 000011
【国際調査報告】
2006500149.tif 000012
2006500149.tif 000013